(57)【要約】      （修正有）【課題】月、週、イベント等の任意時期の活動に対応する日程と、それに対応した活動に必要な資料、物品を可視状態で収納するとともに、当該日であることを認識させるために可動することで、活動予定を管理する回転式予定管理具を提供する。【解決手段】任意幅で輪状となった回転シート４と、前記回転シート４を移動させ制止する摩擦力を有する回転軸２と、週、月、イベント等に対応した日数分の数で前記回転シート４にほぼ等間隔に上辺でそれぞれ接続された複数の収納体５とより構成される。【選択図】図１
2015045740.tif 000002
【特許請求の範囲】
【請求項１】
任意幅で輪状となった回転シートと、週、月、イベント等に対応した日数分の数で前記回転シートにほぼ等間隔に上辺でそれぞれ接続され、少なくとも前面が透過性となる材質で構成された主ポケットと該主ポケット内に前記主ポケット内背部に横位置に複数区分となるように設けられた副ポケット体とよりなる複数の収納体とよりなる回転表示体と、
該回転シート内に配置され前記回転シートとの間で回転させることで前記回転シートを移動させ制止する摩擦力を有する軸体と、軸体の両端にそれぞれ前記回転シートから露出する位置に設けられたストッパーとよりなる回転軸とよりなる回転式予定管理具。
【請求項２】
前記回転軸を外部からの操作で回転可能に保持する保持機構と、前記回転軸を装着した状態で前記回転体の上部を覆うカバー部と、壁や天井等の任意の固定物に対して着脱可能な着脱機構とよりなるカバー体を具備する請求項１記載の回転式予定管理具。
【請求項３】
各々の前記回転表示体に該当する日付を可視位置に日付表示機構を設けたことを特徴とする請求項１または２記載の回転式予定管理具。
【発明の詳細な説明】
【技術分野】
【０００１】
本発明は、月、週、イベント等の任意時期の活動に対応する日程と、それに対応した活動に必要な資料、物品を可視状態で収納するとともに、当該日であることを認識させるために可動することで、活動予定を管理する回転式予定管理具月、週、イベント等の任意時期の活動に対応する日程と、それに対応した活動に必要な資料、物品を可視状態で収納するとともに、当該日であることを認識させるために可動することで、活動予定を管理する予定管理具に関するものである。
【背景技術】
【０００２】
従来、行動予定を管理する方法として、記憶に頼っていたのでは確実性に欠けるため、手帳やカレンダーに予定を書き込んで管理していた。
電子管理手法としては、パソコンやモバイル、携帯電話等で日時及び内容を入力し管理していた。
行動予定において必要な薬や書類等の物品が伴うものとしては、特許文献１に示すように月のカレンダー上部に備えた台紙の下部に物品を収納することのできるポケット並びにメモを挟みこむクリップを設けたものがあった。
薬の服薬管理をするものとして、特許文献２に示すように箱本体を複数に仕切られ、それぞれに電気的制御にて開閉する蓋を有する複数の収納部が設けられた収納体と、時計装置とより構成され、時計装置に設定されたスケジュールに到達したときに該当する収納部の蓋が開くとともに音声や表示ランプで利用者に報知するものがあった。
【先行技術文献】
【特許文献】
【０００３】
【特許文献１】特開２００５−２５４５２９
【特許文献２】特開２００５−２５１１２９
【発明の概要】
【発明が解決しようとする課題】
【０００４】
手帳やカレンダーのみへの書き込みという管理手段では、該当する行動予定に必要な書類や資料等を別途保管する必要があり、予定は把握しても必要な資料を忘れてしまうことがあった。
【０００５】
パソコン等の電子管理手段においては、管理装置およびアプリケーションが必要であるとともに、それらを使いこなす知識が必要とされていた。そのため、誰でも同様に使用することができない。特に、予定管理を最も必要とされる物忘れがちな人では対応し難いという問題があった。
【０００６】
特許文献１の技術においては、上部カレンダーは月単位で表示され、下部には前記カレンダーの特定の日時に対応した物品しかポケットに収納できない。そのため、予定と必要な物品が１対１で管理できず、予定は把握できてもポケットに収納された物品を見逃すおそれがあった。同様に、メモに関しても個別管理となるためカレンダーの予定、ポケットに収納された必要物との確実な一体管理がなされない。
また、ポケット収納物とメモはイベント終了後に次のイベントに合わせて設置しなおす必要があり、その段階で設置を見逃すおそれが非常に高かった。
【０００７】
特許文献２に関しては、パソコン等の電子管理手段と同様に、誰でも画一的に使いこなせるものではなかった。特に、蓋が電子制御されているため、その収納部への設置段階で困難を要するものであった。構造自体も大掛かりとなっているため、それを置載する場所を確保する必要性もあった。
【課題を解決するための手段】
【０００８】
任意幅で輪状となった回転シートと、週、月、イベント等に対応した日数分の数で前記回転シートにほぼ等間隔に上辺でそれぞれ接続され、少なくとも前面が透過性となる材質で構成された主ポケットと該主ポケット内に前記主ポケット内背部に横位置に複数区分となるように設けられた副ポケット体とよりなる複数の収納体とよりなる回転表示体と、
該回転シート内に配置され前記回転シートとの間で回転させることで前記回転シートを移動させる摩擦力を有する軸体と、軸体の両端にそれぞれ前記回転シートから露出する位置に設けられたストッパーとよりなる回転軸とより構成される。
【０００９】
前記回転軸を外部からの操作で回転可能に保持する保持機構と、前記回転軸を装着した状態で前記回転体の上部を覆うカバー部と、壁や天井等の任意の固定物に対して着脱可能な着脱機構とよりなるカバー体を具備する。
【００１０】
各々の前記回転表示体に該当する日付を可視位置に日付表示機構を具備する。
【発明の効果】
【００１１】
任意幅で輪状となった回転シートと、週、月、イベント等に対応した日数分の数で前記回転シートにほぼ等間隔に上辺でそれぞれ接続され、少なくとも前面が透過性となる材質で構成された主ポケットと該主ポケット内に前記主ポケット内背部に横位置に複数区分となるように設けられた副ポケットとよりなる複数の収納体とよりなる回転表示体と、
該回転シート内に配置され前記回転シートとの間で回転させることで前記回転シートを移動させる摩擦力を有する軸体と、軸体の両端にそれぞれ前記回転シートから露出する位置に設けられたストッパーとよりなる回転軸とより構成されることで、以下の効果が得られる。
日にち単位で構成された収納体が回転シートに設けられていることで、行動予定の日にち単位で、暦と必要な書類の管理をすることができるので、必要書類を伴った行動予定を管理、実行することができる。あわせて、複数の副ポケットをその中に構成することで、朝昼晩等の薬の服薬、午前・午後・夜間等の一日の中でも更に細分化時間、目的等にあわせた管理を同時にすることができる。
回転表示体が回転することにより、毎日日程に合致した収納体を認識しやすい特定位置に移動させることができるので、当該月の中の３０日前後のカレンダーの中から当日のみの行動予定情報を容易に把握し、実行することができる。
前記回転表示体は回転軸で吊持されているため、壁の一部を利用して前後に極端に突出することなく省スペースで利用可能である。
【００１２】
回転軸を外部からの操作で回転可能に保持する保持機構と、前記回転軸を装着した状態で前記回転体の上部を覆うカバー部と、壁や天井等の任意の固定物に対して着脱可能な着脱機構とよりなるカバー体を具備することで、ネジ、押しピン等を利用して容易に壁に設置することができる
また、カバー状となっているため、主ポケットならびに副ポケットに埃やゴミ、水等が落ちることを防ぐので、収納物の汚損を防ぐことができる。
【００１３】
各々の前記回転表示体に該当する日付を可視位置に日付表示機構を設けることにより、その日に該当する回転表示体を間違えることなく選択することができる。
【図面の簡単な説明】
【００１４】
【図１】本発明の使用状態を示す正面図である
【図２】本発明の使用状態を示す右側面図である
【図３】本発明の使用状態を示す背面図である
【図４】本発明の使用状態を示す平面図である
【図５】本発明の使用状態を示す底面図である
【図６】本発明のカバー体を示す斜視図である
【図７】本発明のカバー体を示す斜視図である
【図８】本発明の回転軸を示す斜視図である
【図９】本発明の回転表示体の正面図である
【図１０】本発明の回転表示体の右側面図である
【図１１】本発明の回転表示体の背面図である
【図１２】本発明の回転表示体の平面図である
【図１３】本発明の回転表示体の底面図である
【図１４】本発明の基本構成を示す正面図である
【図１５】本発明の基本構成を示す右側面図である
【図１６】本発明の基本構成を示す背面図である
【図１７】本発明の基本構成を示す平面図である
【図１８】本発明の基本構成を示す底面図である
【図１９】本発明の収納体を示す斜視図である
【図２０】本発明の使用状態説明図である
【図２１】本発明の使用状態説明図である
【図２２】本発明の使用状態説明図である
【図２３】本発明の使用状態説明図である
【図２４】本発明の取付説明図である
【図２５】本発明の回転状態説明図である
【図２６】本発明の使用状態説明図である
【図２７】本発明の他の収納体実施例図である
【図２８】本発明の他のカバー体実施例図である
【図２９】本発明の他のカバー体実施例図である
【図３０】本発明の他の日付表示機能の実施例図である
【図３１】本発明の他の回転軸の実施例図である
【発明を実施するための形態】
【００１５】
以下、本発明の第一実施形態について図１乃至図２６を用いて説明する。
図１は本発明の使用状態を示す正面図、図２は本発明の使用状態を示す右側面図、図３は本発明の使用状態を示す背面図、図４は本発明の使用状態を示す平面図、図５は本発明の使用状態を示す底面図、図６は本発明のカバー体を示す斜視図、図７は本発明のカバー体を示す斜視図、図８は本発明の回転軸を示す斜視図、図９は本発明の回転表示体の正面図、図１０は本発明の回転表示体の右側面図、図１１は本発明の回転表示体の背面図、図１２は本発明の回転表示体の平面図、図１３は本発明の回転表示体の底面図、図１４は本発明の基本構成を示す正面図、図１５は本発明の基本構成を示す右側面図、図１６は本発明の基本構成を示す背面図、図１７は本発明の基本構成を示す平面図、図１８は本発明の基本構成を示す底面図、図１９は本発明の収納体を示す斜視図、図２０は本発明の使用状態説明図、図２１は本発明の使用状態説明図、図２２は本発明の使用状態説明図、図２３は本発明の使用状態説明図、図２４は本発明の取付説明図、図２５は本発明の回転状態説明図、図２６は本発明の使用状態説明図である。
本発明は回転表示体１と回転軸２とカバー体３とより構成される。
回転表示体１は任意幅でループ状に構成された回転シート４とほぼ統一間隔で該回転シート４に上辺部に位置する接合片７で接合された複数の収納体５とより構成されている。
収納体５の数は月、週、任意のイベントに要する対応日数に該当する数である。ここでは、一月として３１日分である３１個の収納体５を例に説明する。回転シート４の長さは、これら全収納体５を均等かつ後述する使用において目的を達成する間隔で配置される長さのものとなっている。回転シート４の素材としては、綿、化繊、ビニール、合皮等可撓性を有し、後述される任意の軸体をループ内上部に配置し吊持した際に、該軸体形状に沿って撓む素材となっている。
収納体５は、少なくとも接合片７を上辺部に構成し、折り返し部１１を介して延設されたベースシート８より基シート６と、外ポケットシート９と、仕切りシート１０とより構成されている。本実施形態においては図１９に示すように、外ポケットシート９は基シート６を延設し、左右に折り返しにより縁接合され縁接合部１２となる構造として説明する。
接合片７は、基シート６上部で折り返され回転シート４に接合されている。
仕切りシート１０はベースシート８と外ポケットシート９の間に下辺が薬等の任意の収納物を収納可能な位置に配置され少なくとも左右で縁接合される。本実施形態においては基シート６から縁切された外ポケットシート９の左右即変部とともに接合されている。
また、仕切りシート１０は、左右単から任意幅位置に縦方向に設けられた仕切接合部１３ａ、１３b、１３cでベースシート８と接合されている。これにより、左右の縁接合部と各接合部１３によりベースシート８と仕切シート１０の間に複数の副ポケット１７が形成される。
外ポケットシート９は、左右側辺の縁接合部１２並びに下部折り返し部１１により主ポケット１７が形成される。また、外ポケットシート９は、主ポケット１７に入れた日にち等の表記がついた表示シート１４の少なくとも日にちや曜日等の最低認識内容表示を外観から可視透過性を有する素材よりなっている。ビニールやポリプロピレン等の透過性シートはもちろん、前記最低認識内容表示を可視できるメッシュ構造体であっても構わない。
本発明において、目的を実現する各種ポケット等の構成をなすものであれば接合片、ベースシート、外ポケットシート、仕切りシートは相互の関係において別体であってもよいし、延設された構造でもかまわない。
回転軸２は、円筒状もしくは円柱状の軸体２０と、該軸体２０の左右端にそれぞれ設けられ回転において軸体に吊下された回転表示体１が脱落しないような大きさ形状のストッパー２１とより構成されている。ここにおいて、軸体２０は前記回転シートの内部に軸として配置されるものであり、前記ストッパー２１等の操作により回転する際に、本発明の作用である回転表示体１を回転させる摩擦力を有するものである。つまり、任意の回転シートとの間に使用状態において回転シートを回転操作可能な摩擦力のあるものであればよい。
本実施形態においては上記回転表示体１と回転軸２を使用上扱いやすく外観的にも美観を損ねないためにカバー体３が使用される。
カバー体３は前方に向け湾曲状に下降する形状の左右側板３２と、背板３３とより形成され下面が開口状態となっている。
左右側板にはそれぞれ対向する位置にガイド溝３４が下辺から切り込むような状態で設けられ、上部で背板側に誘導され、背板側でストッパー片３５を超えた位置で下方に落ち込む形状となっている。このガイド溝３４は前記回転軸２の軸体２０が容易に通過でき、かつストッパー２１は通過しない幅となっている。
左右側板の間隔は回転シート４が内部に配置されるとともに対向するガイド溝３４に回転軸２を装着した際にストッパー２１が外側に位置するようになっている。
背板３３の左右上部には上下方向に伸びた固定用孔３７が設けられている。この固定用孔３７は任意のネジや押しピン等でカバー体内側から壁等に任意高さ位置で着脱可能に固定させる目的で使用されるものである。
本実施形態の発明は、以上の構成よりなっている。
【００１６】
以下、本発明の使用方法ならびに作用を説明する
本実施形態においては1ヶ月分３１個の収納体５が回転シートに設けられているが、それぞれに収納される３１枚の表示シート１４が具備される。表示シート１４は図２０に示すように主ポケット１７に対応収納される形状で、右側部付近に１から３１の数字がそれぞれ表示されている。この表示体を正面側からみて任意の収納体５に１と表示された表示シート１４を主ポケットに収納する。以下、下方向に向かう順の収納体に順次２以降の表示がなされた表示シートを収納する。これにより、その月のカレンダー表示が各収納体に施された状態となる。本実施形態においては、この主ポケット自体が上記使用方法により日付表示機構の役割をなす。
次に、図２１、図２２に示すように該当する日に任意のイベントがあった場合、それらの行動に必要な書類１５を主ポケット１７の表示シート１４手前に収納する。ここにおける書類とは案内状、入場等のチケット、支払いの払込用紙等があげられ、書類が大きい場合には適当な大きさとなるように折りたたんで収納する。
服薬が必要な利用者においては副ポケット１８を利用する。この場合右もしくは左から朝・昼・夕というように取り決め、それに該当する薬を収納しておくことで、服薬管理をすることができる。いちについて自身で管理した場所に表示を施したり、表示シートを利用することで視認を容易にすることもできる。図の事例においては副収納部が４個あるが、これは朝・昼・夕以外の取り決めのある薬を利用するものであり、３個でも定期服薬には支障はない。
次に、回転体１をカバー体３にセットする方法について説明する。まず図１４乃至図１８に示すように回転体１に回転軸２を内側に通す。これを図２４に示すようにガイド溝３４に沿って回転軸２を移動させ、最後に保持部３６に置くことでセットされる。図２４においては説明上回転体は割愛されている。なお、カバー体３はネジもしくは押しピン等で固定用孔３７を利用して内側から壁に着脱可能に固定されている。
この状態でその日にあわせた収納体５が前面最上部にくるようにしておき、その日に必要な書類や薬があった場合、それらを取り出し任意の行動を実施する。
次に日付が変わった際の操作に関して図２５、図２６を用いて説明する。
日付が変わった際は回転軸２のストッパー２１を回転させていく。当初図２５ａの状態であるが、回転軸２の回転にあわせ回転シート４が連動して回転していき図２５ｂに示すように収納体５が持ち上げられていく。図２５ｃのように接合片７が頂上位置を超えても収納体全体の重さにより収納体はしなった状態でもちあげられ、重心が頂上をすぎた段階で図２５ｄのように収納体が１個分巻き上げられ、翌日の収納体５が最上部にくる。この状態を正面から見たものが図２６である。以下、これら作業を日付が変わる事に実施することで本発明は使用される。
【００１７】
第二の実施形態である他の収納体５について図２７を用いて説明する。図２７は本発明の他の収納体実施例図である。
本実施形態では収納体がベースシート８、仕切シート１０、外ポケットシート９が用いられている。ここで、少なくとも外ポケットシート９は透過性素材よりなるものとする。各シートは縁接合部１２及び仕切接合部１３により、前記実施形態と同様の構成となる。接合手段としては、溶着、接着、縫合等、従来用いられる任意の接合手段で接合される。
【００１８】
次にカバー体の他の実施形態を図２８、図２９を用いて説明する。図２８は本発明の他のカバー体実施例図、図２９は本発明の他のカバー体実施例図である。
図２８の事例は、固定用孔をあらかじめ設置されたネジ等で設置するものである。そのため、固定用孔は下辺部からの切り込み状態で設けられている。
図２９の事例は、収納体からより容易に必要な書類や薬を取り出せるようにカバー部３１の前部が開口した取り出し開口部３８が設けられたものである。これにより収納物を取り出す際に手がカバー部に当たりにくくなり、より容易に取り出し作業ができる。
【００１９】
なお、上記各実施形態はカバー体とあわせて使用する形態であったが、カバー体を使わず回転時２の左右ストッパー内側を紐で吊るすことも可能である。
【００２０】
次に異なる日付表示機構の実施形態を図３０を用いて説明する。
本図において、外ポケットシート右側に透過性シートにより日付表示ポケット３９が構成されている。図においては上部が開口部となっており、ここから日付を記載したシートを入れることで、該当する回転表示体１を確実に選択することができる。
【００２１】
次に異なる回転軸２の実施形態を図３１を用いて説明する。
図において回転軸２の軸体２０が切断面が楕円となるような形状となっている。この際、切断面長手直径は前記各回転シート４に取り付けられた回転表示体１の間隔に近似した長さとなっている。あわせて、長手頂点部に各回転シート４の接合片７が位置するようになっている。これにより、回転シート４と回転軸２の摩擦力と重力により安定した位置で固定され誤回転を防止することができる。
【符号の説明】
【００２２】
１  回転表示体、
２  回転軸、
３  カバー体、
４  回転シート、
５  収納体、
６  基シート、
７  接合片、
８  ベースシート、
９  外ポケットシート、
１０  仕切りシート、
１１；１１ａ；１１ｂ  折り返し部、
１２  縁接合部、
１３；１３ａ；１３b；仕切接合部、
１４  表示シート、
１５  書類、
１６；１６ａ；１６ｂ；１６ｃ  薬、
１７  主ポケット、
１８  副ポケット、
２０  軸体、
２１  ストッパー、
３１  カバー部、
３２  側板、
３３  背板、
３４  ガイド溝、
３５  ストッパー片、
３６  保持部、
３７  固定用孔、
３８  取り出し開口部
３９  日付表示ポケット  
【図１】
2015045740.tif 000003
【図２】
2015045740.tif 000004
【図３】
2015045740.tif 000005
【図４】
2015045740.tif 000006
【図５】
2015045740.tif 000007
【図６】
2015045740.tif 000008
【図７】
2015045740.tif 000009
【図８】
2015045740.tif 000010
【図９】
2015045740.tif 000011
【図１０】
2015045740.tif 000012
【図１１】
2015045740.tif 000013
【図１２】
2015045740.tif 000014
【図１３】
2015045740.tif 000015
【図１４】
2015045740.tif 000016
【図１５】
2015045740.tif 000017
【図１６】
2015045740.tif 000018
【図１７】
2015045740.tif 000019
【図１８】
2015045740.tif 000020
【図１９】
2015045740.tif 000021
【図２０】
2015045740.tif 000022
【図２１】
2015045740.tif 000023
【図２２】
2015045740.tif 000024
【図２３】
2015045740.tif 000025
【図２４】
2015045740.tif 000026
【図２５】
2015045740.tif 000027
【図２６】
2015045740.tif 000028
【図２７】
2015045740.tif 000029
【図２８】
2015045740.tif 000030
【図２９】
2015045740.tif 000031
【図３０】
2015045740.tif 000032
【図３１】
2015045740.tif 000033